(57)【特許請求の範囲】
【請求項１】
少なくとも１のテレビ放送番組の内容を示す放送信号及びその１のテレビ放送番組のガイドデータを記憶する第１記憶手段と、
複数の異なるテレビ放送番組各々について番組内容を表す少なくとも１つの属性毎にその時間的範囲及び重要度をデータとして予め記憶した第２記憶手段と、
要約再生動作時に前記第１記憶手段から前記１のテレビ放送番組の放送信号及びガイドデータを読み出し、その読み出したガイドデータに応じて前記１のテレビ放送番組に内容的に一致又は類似したテレビ放送番組に対応する属性毎の時間的範囲及び重要度を前記第２記憶手段から読み出す読出手段と、
前記第１記憶手段から読み出された前記放送信号のうちの、前記第２記憶手段から読み出された前記属性毎の時間的範囲において対応する重要度に基づいた時間的長さだけの部分信号を再生する再生手段と、を備えたことを特徴とするテレビ放送番組要約再生装置。
【請求項２】
前記１のテレビ放送番組のガイドデータは前記１のテレビ放送番組の少なくともタイトル名、ジャンル及び放送時間幅を示すことを特徴とする請求項１記載のテレビ放送番組要約再生装置。
【請求項３】
前記属性は番組内で内容的に範囲分けできる事柄であることを特徴とする請求項１記載のテレビ放送番組要約再生装置。
【請求項４】
前記第２記憶手段は、前記複数の異なるテレビ放送番組各々についての番組内容を表す属性毎にその時間的範囲及び重要度を示すテンプレートを記憶し、
前記読出手段は、前記読み出したガイドデータに応じて前記１のテレビ放送番組に一致又は類似したテンプレートを前記第２記憶手段から読み出すことを特徴とする請求項１記載のテレビ放送番組要約再生装置。
【請求項５】
ユーザ嗜好データを記憶した第３記憶手段と、
前記第２記憶手段から読み出された重要度を前記ユーザ嗜好データに応じて補正して前記再生手段に供給する補正手段とを有することを特徴とする請求項１記載のテレビ放送番組要約再生装置。
【請求項６】
前記第２記憶手段に記憶された前記１のテレビ放送番組に対応した番組内容についての属性毎の重要度を操作入力に応じて訂正して前記第２記憶手段に更新記憶させる手段を有することを特徴とする請求項１記載のテレビ放送番組要約再生装置。
【請求項７】
前記１のテレビ放送番組に対応した番組内容についての属性毎に要約再生基準範囲が予め設定され、前記再生手段は、前記第２記憶手段から読み出された前記属性毎の時間的範囲において対応する重要度によってその要約再生基準範囲を重み付け補正して前記時間的長さを設定することを特徴とする請求項１記載のテレビ放送番組要約再生装置。
【請求項８】
少なくとも１のテレビ放送番組の内容を示す放送信号及びその１のテレビ放送番組のガイドデータを第１記憶手段に記憶し、
複数の異なるテレビ放送番組各々について番組内容を表す少なくとも１つの属性毎にその時間的範囲及び重要度をデータとして第２記憶手段に予め記憶し、
要約再生動作時に前記第１記憶手段から前記１のテレビ放送番組の放送信号及びガイドデータを読み出し、その読み出したガイドデータに応じて前記１のテレビ放送番組に内容的に一致又は類似したテレビ放送番組に対応する属性毎の時間的範囲及び重要度を前記第２記憶手段から読み出し、
前記第１記憶手段から読み出された前記放送信号のうちの、前記第２記憶手段から読み出された前記属性毎の時間的範囲において対応する重要度に基づいた時間的長さだけの部分信号を再生することを特徴とするテレビ放送番組要約再生方法。
【発明の詳細な説明】
【０００１】
【発明が属する技術分野】
本発明は、テレビ放送番組の要約を作成して出力するテレビ放送番組要約再生装置に関する。
【０００２】
【従来の技術】
テレビ放送番組を記録媒体に録画した場合に、その記録媒体の録画部分を全て再生しないで番組内容全体を直ちに把握するために部分的に再生する要約再生が知られている。
【０００３】
【発明が解決しようとする課題】
しかしながら、従来の要約再生方法は、例えば、画像信号や音声信号のレベル変化に応じて記録媒体の録画部分から再生部分を設定し、その設定部分を抽出して再生信号を出力することが一般的であり、テレビ放送番組の内容を的確に要約した再生画像を得ることは難しかった。
【０００４】
そこで、本発明の目的は、テレビ放送番組の内容を的確に要約再生することができるテレビ放送番組要約再生装置及び方法を提供することである。
【０００５】
【課題を解決するための手段】
本発明のテレビ放送番組要約再生装置は、少なくとも１のテレビ放送番組の内容を示す放送信号及びその１のテレビ放送番組のガイドデータを記憶する第１記憶手段と、複数の異なるテレビ放送番組各々について番組内容を表す少なくとも１つの属性毎にその時間的範囲及び重要度をデータとして予め記憶した第２記憶手段と、要約再生動作時に第１記憶手段から１のテレビ放送番組の放送信号及びガイドデータを読み出し、その読み出したガイドデータに応じて１のテレビ放送番組に内容的に一致又は類似したテレビ放送番組に対応する属性毎の時間的範囲及び重要度を第２記憶手段から読み出す読出手段と、第１記憶手段から読み出された放送信号のうちの、第２記憶手段から読み出された属性毎の時間的範囲において対応する重要度に基づいた時間的長さだけの部分信号を再生する再生手段と、を備えたことを特徴としている。
【０００６】
本発明のテレビ放送番組要約再生方法は、少なくとも１のテレビ放送番組の内容を示す放送信号及びその１のテレビ放送番組のガイドデータを第１記憶手段に記憶し、複数の異なるテレビ放送番組各々について番組内容を表す少なくとも１つの属性毎にその時間的範囲及び重要度をデータとして第２記憶手段に予め記憶し、要約再生動作時に第１記憶手段から１のテレビ放送番組の放送信号及びガイドデータを読み出し、その読み出したガイドデータに応じて１のテレビ放送番組に内容的に一致又は類似したテレビ放送番組に対応する属性毎の時間的範囲及び重要度を第２記憶手段から読み出し、第１記憶手段から読み出された放送信号のうちの、第２記憶手段から読み出された属性毎の時間的範囲において対応する重要度に基づいた時間的長さだけの部分信号を再生することを特徴としている。
【０００７】
【発明の実施の形態】
以下、本発明の実施例を図面を参照しつつ詳細に説明する。
図１は本発明によるテレビ放送番組要約再生装置を示している。テレビ放送番組要約再生装置は入力情報記憶装置１、デマルチプレクサ２、番組ガイド情報抽出部３、時間重要度決定部４、時間重要度記憶装置５、時間重要度更新部６、要約再生方法指令部７、ユーザ嗜好情報記憶装置８、再生装置９、表示装置１０、及び操作部１１を備えている。
【０００８】
入力情報記憶装置１は例えば、放送受信部及びハードディスクを備え、テレビ放送信号を受信して番組毎にその内容（画像及び音声を示す放送信号）をそのまま番組内容データとして記憶する。また、テレビ放送信号中のＥＰＧ(Electronic Program Guide)等の番組ガイドデータを番組毎に番組内容データと対応させて記憶する。番組内容データは画像データ及び音声データを含む。番組ガイドデータは番組毎のタイトル名、番組のジャンル、開始時刻、終了時刻、番組内容の簡単な説明、番組内容に対するキーワード（例えば、出演者、作者、監督、シリーズ名、曲名、地域）を含む。番組ガイドデータは番組ガイド情報を発信するＷＷＷサーバからインターネットを介して得ても良い。入力情報記憶装置１は操作部１１におけるユーザ装置によって指定された番組についての番組内容データ及び番組ガイドデータを読み出して出力する。
【０００９】
デマルチプレクサ２は、入力情報記憶装置１から読み出された番組内容データと番組ガイドデータとを分離して出力する。番組内容データは再生装置９に供給される。番組ガイドデータは番組ガイド情報抽出部３に供給される。
番組ガイド情報抽出部３は番組ガイドデータから予め定められたタイトル情報、ジャンル情報、時間情報等のガイド項目を抽出して個別に出力する。番組ガイド情報抽出部３は、例えば、タイトル情報抽出部３１、ジャンル情報抽出部３２、時間情報抽出部３３を備えている。
【００１０】
番組ガイド情報抽出部３の各出力は時間重要度決定部４に接続されている。時間重要度決定部４は番組ガイド情報抽出部３によって抽出されたガイド項目に基づいて時間重要度記憶装置５の記憶データを検索して時間重要度を示す重要度テンプレートを設定し、その設定した重要度テンプレートを要約再生方法指令部７に供給する。重要度テンプレートとは、１つの番組における要約再生のための細切れの時間配分を定めるデータである。時間重要度記憶装置５の記憶データとしては、例えば、特定の番組に対応した重要度テンプレート、各ジャンルに対応した重要度テンプレート、或いは出演者に対応した重要度テンプレートがある。特定の番組とは、良く知られた番組で重要度テンプレートが予め設定された番組或いは後述のユーザの操作によって重要度テンプレートが更新された番組である。各ジャンルに対応した重要度テンプレートとは、番組のジャンル及び時間によって予め定められたテンプレートである。例えば、ジャンルとしてニュースやドラマには１５分番組、３０番組及び１時間番組があるので、番組のジャンル及び時間に応じて時間配分が異なる。時間重要度記憶装置５の記憶データはテレビ放送信号中の番組ガイドデータと共に或いはインターネットを介してデータとして供給される。
【００１１】
図２は時間重要度記憶装置５に記憶されたジャンル別データの具体例、特に３０分のニュース番組のデータを示している。そのデータの内容としては、ジャンル、放送時間、タイトル（代表的な３０分のニュース番組名）、属性、属性毎の開始時間、終了時間及び重要度が含まれる。属性とは、ジャンルがニュースの場合、政治経済、スポーツ、天気予報等のニュースの種類やエンディングのような特徴的な部分をいう。ドラマの場合には、起承転結が属性とされる。他のジャンルでも細切れの時間配分のための番組内で範囲分けできるような種類、特徴、性質等の事柄によって属性が定められる。重要度は０〜１００の単位で各属性について設定される。図２に示した例では、重要度は政治経済では９０、スポーツでは６０、天気予報では７０、エンディングでは５である。
【００１２】
時間重要度更新部６は時間重要度記憶装置５に記憶された各テンプレートの重要度の値をユーザによる操作部１１の操作に応じて変更する。この変更の際には表示装置１０に指定されたテンプレートの属性毎の重要度が表示され、操作部１１からのカーソル及び数字入力操作によって重要度の値を任意の値に変更することができる。
【００１３】
要約再生方法指令部７は時間重要度決定部４から供給された重要度テンプレートに応じて要約再生方法を再生装置９に対して指令する。要約再生方法は基本的に属性毎の重要度に応じて定められる。要約再生において例えば、属性毎にその開始時点から所定時間ｔ分（要約再生基準範囲）だけの番組内容データが抽出され、それを集めることにより要約データが生成されることが前提とされている場合には、重要度テンプレートから分かる属性毎の重要度Ａによって所定時間ｔに対して重み付けを行う。重み付け後の再生時間ｔ'は例えば、ｔ×Ａ×Ｃ／５０で表すことができる。Ｃは嗜好情報に応じた嗜好補正値であり、初期値は１である。嗜好補正値Ｃ＝１とすると、重要度Ａが５０では重み付け無しで、５０より大で重み付け後の時間ｔ'はｔより大となり、５０より小で重み付け後の時間ｔ'はｔより小となる。よって、要約再生方法指令は少なくとも指定番組の属性とその属性の開始時間及び再生時間ｔ'とを表す。なお、所定時間ｔはフレーム数でも良いし、属性毎に異なって良い。
【００１４】
また、番組内容データの画像のフレーム毎に重要度Ｂが設定されている場合には、Ａ×Ｃ／５０で重要度Ｂを重み付け補正し、補正後の重要度Ｂ×Ａ×Ｃ／５０が閾値以上のフレームを要約再生に用いる構成でも良い。
嗜好補正値Ｃはユーザ嗜好情報記憶装置８に予め記憶されたユーザの嗜好情報によって属性毎に定められる。ユーザの嗜好情報としては趣味や興味の対象であっても良い。スポーツが趣味であれば、例えば、ニュースでは属性がスポーツの場合に要約再生時間を長めにするためにＣ＝１．２の如く設定される。また、ジャンルが例えば、ドラマの場合に、属性の結末部分の再生が必要ないといった嗜好情報てあっても良く、その場合にはＣ＝０に設定される。
【００１５】
ユーザ嗜好情報記憶装置８にはユーザの嗜好情報が属性毎の嗜好補正値Ｃの値として記憶されていても良い。
再生装置９には要約再生方法指令部７による要約再生方法指令が供給される。再生装置９はデマルチプレクサ２から供給される番組内容データから要約再生方法指令に応じた再生部分のデータを抽出して復調出力する。復調出力としては映像信号及び音声信号であり、これらの信号は表示装置１０に供給される。表示装置１０は例えば、テレビ受像機であり、再生装置９から供給される映像信号に応じた映像を表示すると共に音声信号に応じた音声を出力する。
【００１６】
かかる構成のテレビ放送番組要約再生装置においては、要約再生動作が図３に示す順番で行われる。すなわち、要約再生を行う番組がユーザによって操作部１１を介して指定される（ステップＳ１）。指定された番組についての番組内容データ及び番組ガイドデータが入力情報記憶装置１から読み出されてデマルチプレクサ２に供給される（ステップＳ２）。デマルチプレクサ２は番組内容データを再生装置９に供給し、番組ガイドデータを番組ガイド情報抽出部３に供給する（ステップＳ３）。番組ガイド情報抽出部３では番組ガイドデータからタイトル、ジャンル、開始時間及び終了時間等のガイド項目が抽出されて時間重要度決定部４に供給される（ステップＳ４）。時間重要度決定部４では抽出されたガイド項目に対応した重要度テンプレートが時間重要度記憶装置５に記憶されているか否かが判別される（ステップＳ５）。時間重要度記憶装置５にガイド項目に対応した重要度テンプレートがある場合には、その対応した重要度テンプレートが読み出される（ステップＳ６）。重要度テンプレートとしてはガイド項目が示す指定番組に対応した重要度テンプレートが時間重要度記憶装置５に記憶されている場合には、その対応した重要度テンプレートがそのまま読み出される。指定番組に対応した重要度テンプレートが時間重要度記憶装置５に記憶されていないが、ジャンルに対応した重要度テンプレートが時間重要度記憶装置５に記憶されている場合には、そのジャンル対応の重要度テンプレートが読み出される。読み出された重要度テンプレートは要約再生方法指令部７に供給される。対応した重要度テンプレートが時間重要度記憶装置５に存在しない場合には、テンプレートが無いことを示す信号が要約再生方法指令部７に供給される（ステップＳ７）。
【００１７】
要約再生方法指令部７では重要度テンプレートが供給されると、その重要度テンプレートに基づいて要約再生方法が上記したように設定されて再生装置９に指令される（ステップＳ８）。一方、テンプレートが無いことを示す信号が供給されると、従来の要約再生方法が設定されて再生装置９に指令される（ステップＳ９）。ステップＳ９の要約再生方法としては特開平１０−３２７７６号公報に開示された方法がある。
【００１８】
再生装置９では番組内容データから指令された要約再生方法に応じた再生部分のデータを抽出して復調出力する（ステップＳ１０）。
よって、かかる要約再生動作によって番組内の重要性がある内容ほど再生時間が長く設定されるので、時間配分が適切な要約再生が行われることになる。
時間重要度更新部６では操作部１１におけるユーザ操作によって重要度更新動作が図４に示すように行われる。重要度更新動作においては先ず、重要度更新の操作が操作部１１において行われたか否かを判別する（ステップＳ２１）。重要度更新の操作があった場合には、図５(a)に示す如き重要度テンプレートの内容が表示装置１０に表示される（ステップＳ２２）。ここで、内容が表示される重要度テンプレートは指定された番組に対応したものである。重要度テンプレートの内容表示の際には時間重要度記憶装置５から読み出された重要度テンプレートに応じて表示データが作成されて再生装置９に供給される。再生装置９はその表示データに応じた映像信号を表示装置１０に供給し、これによって重要度テンプレートの内容が表示装置１０に表示される。
【００１９】
時間重要度更新部６は操作部１１におけるユーザによる操作によって表示装置１０の表示画面にポインタ（例えば、図５(a)の破線Ｐ）で示される重要度表示位置及び重要度数値を受け付けたか否かを判別する（ステップＳ２３）。数値を受け付けると、重要度表示位置における重要度の数値表示を例えば、図５(b)に示されるように変更させる（ステップＳ２４）。更に、重要度表示位置に対応する属性の重要度を受け付けた数値によって変更することにより重要度テンプレートを更新し、それを時間重要度記憶装置５に上書き記憶させる（ステップＳ２５）。よって、指定された番組に対応した重要度テンプレートの各属性の重要度をユーザが任意に変更させることができるので、ユーザ好みの要約再生が可能となる。
【００２０】
なお、上記した実施例においては、１の属性の重要度の変更しか行わないが、複数の属性各々の重要度の変更を行うことができるようにしても良い。その場合には、ユーザが変更終了指令を操作部１１から操作入力するまでステップＳ２３及びＳ２４が繰り返され、その変更終了指令があったならば、ステップＳ２５が実行されることになる。
【００２１】
【発明の効果】
以上の如く、本発明によれば、テレビ放送番組の内容を的確に要約再生することができる。
【図面の簡単な説明】
【図１】本発明の実施例を示すブロック図である。
【図２】重要度テンプレートの内容を示す図である。
【図３】要約再生動作を示すフローチャートである。
【図４】重要度更新動作を示すフローチャートである。
【図５】重要度変更画面を示す図である。
【符号の説明】
１  入力情報記憶装置
２  デマルチプレクサ
３  番組ガイド情報抽出部
４  時間重要度決定部
５  時間重要度記憶装置
６  時間重要度更新部
７  要約再生方法指令部
８  ユーザ嗜好情報記憶装置
９  再生装置
１０  表示装置
１１  操作部
【図１】
0004212798.tif 000002
【図２】
0004212798.tif 000003
【図３】
0004212798.tif 000004
【図４】
0004212798.tif 000005
【図５】
0004212798.tif 000006